(57)【特許請求の範囲】
【請求項１】
一対の側桁間に複数の踏板が所定間隔で取り付けられ、前記側桁の上端に上段足場の横架材に掛止するフック部材が設けられ、前記側桁の下端に足場布板載置用のベース体が設けられている仮設足場用階段枠において、
前記ベース体に、前記足場布板の幅方向の端面の外側からこの足場布板の下面に係止される係止部材と、前記足場布板に上から挿入され、この足場布板に対して前記係止部材を前記幅方向に位置決め状態とするための位置決め部材とが設けられ、
前記位置決め部材は上下方向に高さ位置が調整可能となっており、この位置決め部材を上下方向に調整された高さ位置に固定するための固定手段を有することを特徴とする仮設足場用階段枠。
【請求項２】
請求項１に記載の仮設足場用階段枠において、前記位置決め部材は、この位置決め部材の下端部が前記ベース体の下端部と同じ高さ位置になるまで又は前記ベース体の下端部よりも高い位置になるまで、上下方向に高さ位置調整可能となっていることを特徴とする仮設足場用階段枠。
【請求項３】
請求項１又は２に記載の仮設足場用階段枠において、前記位置決め部材は板状の部材になっているとともに、前記固定手段はボルトとナットによるものであり、前記板状の位置決め部材に、前記ボルトの軸部が挿通する孔が上下に長い長孔として形成されていることを特徴とする仮設足場用階段枠。
【請求項４】
請求項１〜３のいずれかに記載の仮設足場用階段枠において、前記係止部材が、前記ベース体に設けられていて前記幅方向を軸方向とする中心軸を中心に回動可能な回動部材となっていることを特徴とする仮設足場用階段枠。
【請求項５】
請求項４に記載の仮設足場用階段枠において、前記係止部材は、この係止部材における前記足場布板の下面に係止される下端部が前記ベース体の下端部と同じ高さ位置になるまで又は前記ベース体の下端部よりも高い位置になるまで、前記中心軸を中心に回動可能となっていることを特徴とする仮設足場用階段枠。
【請求項６】
請求項１〜５のいずれかに記載の仮設足場用階段枠において、前記足場布板は、隙間をあけて前記幅方向に並設された２個の踏面部材を有し、前記位置決め部材が前記足場布板に上から挿入されることは、前記位置決め部材が前記隙間に上から挿入されることであることを特徴とする仮設足場用階段枠。
【発明の詳細な説明】
【技術分野】
【０００１】
本発明は、建築作業現場等で構築される仮設足場に作業者昇降のために設けられる仮設足場用階段枠に係り、例えば、建築作業現場、土木作業現場、解体作業現場、塗装作業現場等の各種作業現場の仮設足場に利用できるものである。
【背景技術】
【０００２】
建築物の建築作業等を行う際には、その周囲に仮設足場が構築され、この仮設足場の上下各段に敷設される足場布板に作業者が昇降するために、仮設足場に階段枠が設置される。下記の特許文献１に示されている仮設足場用階段枠は、一対の側桁間に複数の踏板が所定間隔で取り付けられ、側桁の上端には上段足場の横架材に掛止するフック部材が設けられ、側桁の下端には足場布板載置用のベース体が設けられている。
【０００３】
また、この仮設足場用階段枠では、ベース体に棒状の係止部材を上下動自在に設け、この係止部材を足場布板に上から下に貫通させた後に、係止部材を鉛直軸を中心に回動させることにより、係止部材の下端に設けられたフック部を足場布板の下面と上下に対向させ、係止部材に巻回させたコイルばねのばね力による上昇力により、フック部を足場布板の下面に係止し、これにより、仮設足場用階段枠の下端を、足場布板に、この足場布板の幅方向に位置決めして連結するようにしている。
【先行技術文献】
【特許文献】
【０００４】
【特許文献１】特開２０１０−１２６８７４号公報
【発明の概要】
【発明が解決しようとする課題】
【０００５】
このため、特許文献１の仮設足場用階段枠では、この仮設用階段枠の下端を、足場布板に、この足場布板の幅方向に位置決めして連結するためには、ベース体に、コイルばねを巻回させた棒状の係止部材を上下動自在に設けるとともに、この係止部材の下端にフック部を設け、係止部材を足場布板に上から下に貫通させた後に、係止部材を鉛直軸を中心に回動させ、係止部材の下端のフック部を、コイルばねのばね力による上昇力により足場布板の下面に係止させるという作業を行うことになる。
【０００６】
本発明の目的は、足場布板に、この足場布板の幅方向に位置決めして連結することを、構造の簡単化と作業の容易化を図って行えるようになる仮設足場用階段枠を提供するところにある。
【課題を解決するための手段】
【０００７】
本発明に係る仮設足場用階段枠は、一対の側桁間に複数の踏板が所定間隔で取り付けられ、前記側桁の上端に上段足場の横架材に掛止するフック部材が設けられ、前記側桁の下端に足場布板載置用のベース体が設けられている仮設足場用階段枠において、前記ベース体に、前記足場布板の幅方向の端面の外側からこの足場布板の下面に係止される係止部材と、前記足場布板に上から挿入され、この足場布板に対して前記係止部材を前記幅方向に位置決め状態とするための位置決め部材とが設けられていることを特徴とするものである。
【０００８】
この仮設足場用階段枠では、係止部材が、足場布板に上から挿入される位置決め部材により、足場布板の幅方向に位置決め状態とされるため、係止部材を足場布板の幅方向の端面の外側から足場布板の下面に係止させても、この係止部材が足場布板の幅方向の端面から外側に脱出することはなく、これにより、仮設足場用階段枠の下端を足場布板に係止部材の係止作用により連結することができる。
【０００９】
また、この仮設足場用階段枠によると、側桁の下端に設けられているベース体に、足場布板の幅方向の端面の外側からこの足場布板の下面に係止される係止部材と、足場布板に上から挿入され、この足場布板に対して係止部材を前記幅方向に位置決め状態とするための位置決め部材とを設ければよいため、構造の簡単化を図ることができ、また、仮設足場用階段枠の下端を足場布板に、この足場布板の幅方向に位置決めして連結するためには、係止部材を足場布板の幅方向の端面の外側からこの足場布板の下面に係止する作業と、位置決め部材を足場布板に上から挿入することにより、足場布板に対して係止部材を足場布板の幅方向に位置決め状態とするための作業とを行えばよいため、作業の容易化を図ることができる。
【００１０】
以上の本発明において、ベース体に、足場布板の幅方向の端面の外側からこの足場布板の下面に係止される係止部材を設けることは、各種の態様により実施することができる。その一例は、係止部材を、ベース体に設けられていて前記幅方向を軸方向とする中心軸を中心に回動可能な回動部材とすることである。また、他の例は、ベース体に案内部材を設け、この案内部材の案内作用により、係止部材をベース体に対して前記幅方向にスライド自在とすることである。
【００１１】
しかし、前者によると、ベース体に、足場布板の幅方向の端面の外側からこの足場布板の下面に係止される係止部材を設けることを、簡単な構造により実現できる。
【００１２】
また、係止部材を、この係止部材における足場布板の下面に係止される下端部がベース体の下端部と同じ高さ位置になるまで又はベース体の下端部よりも高い位置になるまで、前記中心軸を中心に回動可能とすることが好ましい。
【００１３】
これによると、本発明に係る足場布板用階段枠を、仮設足場の構築現場へ搬送するときや保管するとき等において、係止部材を、この係止部材における足場布板の下面に係止される下端部がベース体の下端部と同じ高さ位置になるまで又はベース体の下端部よりも高い位置になるまで、前記中心軸を中心に回動させておくことにより、係止部材を格納された状態にできることになるため、搬送や保管等を大きなスペースをとらずに有効に行えることになる。
【００１４】
また、前記位置決め部材はベース体に固定状態で設けてもよいが、この位置決め部材を上下方向に高さ位置が調整可能なものとし、この位置決め部材を上下方向に調整された高さ位置に固定するための固定手段を仮設足場用階段枠に設けてもよい。
【００１５】
これによると、位置決め部材を足場布板に上から挿入するための作業を、固定手段による固定を解除して位置決め部材を上から下へ移動させることにより、容易に行えるようになる。
【００１６】
また、位置決め部材を、この位置決め部材の下端部がベース体の下端部と同じ高さ位置になるまで又はベース体の下端部よりも高い位置になるまで、上下方向に高さ位置調整可能とすることが好ましい。
【００１７】
これによると、前述の係合部材についての場合と同様に、本発明に係る足場布板用階段枠を、仮設足場の構築現場へ搬送するときや保管するとき等において、位置決め部材を、この位置決め部材の下端部がベース体の下端部と同じ高さ位置になるまで又はベース体の下端部よりも高い位置になるまで、上方へ移動させておくことにより、位置決め部材を格納された状態にできることになり、これにより、搬送や保管等を大きなスペースをとらずに有効に行えることになる。
【００１８】
また、位置決め部材を、この位置決め部材の下端部がベース体の下端部と同じ高さ位置になるまで又はベース体の下端部よりも高い位置になるまで、上下方向に高さ位置調整可能とすることも、各種の態様により実施することができる。その一例は、位置決め部材を板状の部材とし、前記固定手段をボルトとナットによるものとし、板状の位置決め部材に、ボルトの軸部を挿通させる孔を上下に長い長孔として形成することである。他の例は、位置決め部材を板状の部材とし、前記固定手段をボルトとナットによるものとし、板状の位置決め部材に、ボルトの軸部を挿通させる孔を上下に間隔をあけて複数個形成することである。
【００１９】
しかし、前者によると、位置決め部材の上下方向の高さ位置調整作業を無段階に行えるという効果を得られるとともに、固定手段による固定を解除することにより、位置決め部材を自重で下へ移動させることができる。
【００２０】
また、本発明に係る仮設足場用階段枠の下端に設けられたベース体が載置される足場布板は、位置決め部材を上から挿入することができるものであれば任意の構造のものでよく、その一例の足場布板は、隙間をあけて足場布板の幅方向に並設された２個の踏面部材を有するものであり、位置決め部材がこの足場布板に上から挿入されることを、位置決め部材が隙間に上から挿入されることとしてもよい。
【００２１】
さらに、本発明に係る仮設足場用階段枠の下端に設けられたベース体は、前記係止部材と前記位置決め部材を設けることができるものであれば、任意の形状、構造で構成されたものでよく、このベース体は、１個の部材からなるものでもよく、複数個の部材からなるものでもよい。
【００２２】
そして、本発明に係る仮設足場用階段枠は、任意の作業現場で構築される仮設足場に用いることができ、この仮設足場は、建築作業現場や土木作業現場、さらには解体作業現場、塗装作業現場等で用いることができる。
【発明の効果】
【００２３】
本発明によると、仮設足場用階段枠の下端を足場布板に、この足場布板の幅方向に位置決めして連結することを、構造の簡単化と作業の容易化を図って行えるという効果を得られる。
【図面の簡単な説明】
【００２４】
【図１】図１は、本発明の一実施形態に係る階段枠が用いられている仮設足場を示す正面図である。
【図２】図２は、図１の仮設足場の要部を示す斜視図である。
【図３】図３は、階段枠を示す正面図である。
【図４】図４は、階段枠を斜め上から見た側面図である。
【図５】図５は、階段枠の下端と足場布板とを示す拡大の正面図である。
【図６】図６は、図５のＳ６矢視図である。
【図７】図７は、図５のＳ７−Ｓ７線断面図である。
【図８】図８は、係止部材と位置決め部材が格納された状態となったときを示す正面図である。
【図９】図９は、階段枠の下端にベース体を取り付けるための別実施形態を示す図５と同様の図である。
【発明を実施するための形態】
【００２５】
以下に本発明を実施するための形態を図面に基づいて説明する。図１は、本発明の一実施形態に係る階段枠が用いられている仮設足場を示す。この仮設足場は、建築物の建築作業現場で構築されたものであって、それぞれの下端がジャッキベース１で支持されて作業現場に多数立設された支柱２と、互いに左右に隣接している２本の支柱２の間に架設された水平材３と、最下部から２段目以降の水平材３に上端が回動自在に連結され、下端が支柱２に連結されたブレース４と、互いに左右に隣接している２本の支柱２の間において、水平に配置されている足場布板５と、上下２段の足場布板５の間に斜めに架設された階段枠２０とを含んで構成されている。なお、下端がジャッキベース１で支持された支柱２の上端には、この支柱２の上に継ぎ足し用の支柱２を連結するための連結部２Ａが設けられている。
【００２６】
図２は、階段枠２０の箇所について示す図１の要部の拡大斜視図であり、この図２では水平材３及びブレース４が省略されている。支柱２は、図１の左右方向には建築物の左右寸法に応じた本数だけ立設されているとともに、図１の奥行き方向（建築物に対する遠近方向）には２本立設されており、これら２本の支柱２の間には横架材６が架設されている。それぞれの支柱２には、所定の上下間隔をあけて複数のフランジ７が固着されており、これらのフランジ７には、支柱２の円周方向に９０度間隔で４個の孔７Ａが設けられている。横架材６の両端部には楔状部材８が上下に挿通される開口部が形成されており、フランジ７の孔７Ａに上から打ち込まれるこの楔状部材８により、横架材６のそれぞれの端部は支柱２に連結されている。
【００２７】
図１で示す水平材３の両端部にも楔状部材９が上下に挿通される開口部が形成されており、フランジ７の孔７Ａに上から打ち込まれるこの楔状部材９により、水平材３のそれぞれの端部は支柱２に連結されている。また、図１で示すブレース４の下端には、楔状部材１１が上下に挿通されるコ字状の連結部材１０が設けられ、この連結部材１０が外側から嵌合されたフランジ７の孔７Ａに上から打ち込まれた楔状部材１１により、ブレース４の下端は支柱２に連結されている。
【００２８】
なお、本実施形態の仮設足場は、以上のように水平材３や横架材６等が連結される継手がフランジ７となっている支柱２が用いられて構築されているが、支柱は、水平材３や横架材６等が連結される継手が上下長さを有するポケット部材となっているものでもよい。また、仮設足場は、支柱２を用いずに建枠を用いたものでもよい。
【００２９】
図２に示されているように、仮設足場に上下に複数段設けられていて、作業者が乗って作業等を行うための足場は、図１でも示されている足場布板５により形成されている。これらの上下の各段の足場において、足場布板５は、足場布板５の長さ方向と直交する水平方向となっている足場布板５の幅方向に２個並設されている。それぞれの足場布板５の長さ方向の両端部には、フック部材１２が設けられ、これらのフック部材１２が横架材６に掛止されることにより、それぞれの足場布板５は、互いに足場布板５の長さ方向に隣接して仮設足場に配置されている２本の横架材６の間に架設されている。
【００３０】
図３と図４は、作業者が上下２段の足場を昇降するための階段枠２０を示す正面図と斜め上から見た側面図であり、この階段枠２０は、下段の足場と上段の足場との間に斜めに架設される。階段枠２０は、溝型材からなる一対の側桁２１の間に複数の踏板２２を所定間隔で取り付けたものであり、それぞれの側桁２１の上端には、上段の足場の横架材６に掛止されるフック部材２３が設けられており、また、側桁２１の下端には、下段の足場を形成している足場布板５に載置されるベース体２４が設けられており、このベース体２４は、図４に示されているように、一対の側桁２１の間に架設されている。
【００３１】
なお、前述したように上下の各段の足場において、足場布板５は幅方向に２個並設されるが、図２に示されているように、これらの足場布板５のうち、ベース体２４は一方の足場布板５Ａに載置されるため、階段枠２０は、２個の足場布板５のうち、１個の足場布板５Ａだけにセットされるものとなっている。
【００３２】
本実施形態のベース体２４は一枚の厚板の折り曲げで形成されたものであって、階段枠２０の幅方向両端部には鉛直に起立した起立部２４Ａが設けられたものとなっており、これらの起立部２４Ａが、それぞれの側桁２１の内側面にボルト及びナットによる上下２個の結合具２５，２６によって結合されている。これらの結合具２５，２６は、ベース体２４を下段の足場布板５Ａに載置することによって階段枠２０をこの足場布板５Ａにセットした状態を示す図５と、図５のＳ７−Ｓ７線断面図である図７にも示されている。これらの図５及び図７に示されているように、一方の起立部２４Ａには係止部材３０が取り付けられており、この取り付けはボルト及びナットによる止着具３１により行われている。係止部材３０は帯状の厚板を折り曲げたものであり、図７に示されているように、止着具３１で起立部２４Ａに取り付けられた上部３０Ａと、この上部３０Ａの下端から階段枠２０の幅方向外側へ延出した第１延出部３０Ｂと、この第１延出部３０Ｂの先端から下向きに延びている第２延出部３０Ｃと、この第２延出部３０Ｃの先端から階段枠２０の幅方向内側へ延びている係止部３０Ｄとからなる。第１延出部３０Ｂと、係止部材３０の下端部である係止部３０Ｄとの間の内面間寸法は、足場布板５Ａの上下の厚さ寸法と同じ又はこの厚さ寸法よりも少し大きくなっている。
【００３３】
そして、本実施形態では、係止部材３０をベース体２４の起立部２４Ａに取り付けているボルト及びナットによる止着具３１のうち、ボルトの軸部３１Ａは、ベース体２４に設けられていて足場布板５Ａの幅方向に延びる軸となっており、この軸部３１Ａを中心軸にして係止部材３０は、ベース体２４に回動可能に取り付けられている。そして、止着具３１のボルト及びナットを締め付けることにより、係止部材３０を軸部３１Ａを中心とする任意の回動角度で固定することができる。
【００３４】
図５に示されているように、ベース体２４には、起立部２４Ａから足場布板５の長さ方向内側へ延出した延出部２４Ｂが設けられており、この延出部２４Ｂの先端は上向きに立ち上がった立上り部２４Ｃとなっており、この立上り部２４Ｃには、位置決め部材３２を上下に移動可能に保持するための保持部材３３が溶接等により結合されている。図６は、図５のＳ６矢視図であり、厚板の折り曲げで形成されている保持部材３３と立上り部２４Ｃとにより、位置決め部材３２が上下に移動可能に挿入された開口部３４が上下の長さを有して形成されている。
【００３５】
図７から分かるように、位置決め部材３２は板材で形成されたものであり、上端部には折り曲げによってストップ部３２Ａが設けられ、このストップ部３２Ａが保持部材３３の上面に当接することにより、位置決め部材３２の下降限位置が規定されるようになっている。また、保持部材３３には、上下の高さ位置が調整された位置決め部材３２をその高さ位置で固定するための固定手段３５が設けられている。この固定手段３５はボルト及びナットによるものであり、図５に示されているように、板材で形成されている位置決め部材３２には、固定手段３５のボルトの軸部３５Ａが挿通する長孔３２Ｂが上下方向に長く形成されている。
【００３６】
このため、固定手段３５のボルト及びナットを緩めると、位置決め部材３２は、長孔３２Ｂの案内作用により無段階で上下に移動可能となり、そして、固定手段３５のボルト及びナットを締め付けることにより、位置決め部材３２を任意の高さ位置で固定することができる。また、固定手段３５のボルト及びナットを緩めてストップ部３２Ａを摘まむことにより、位置決め部材３２を上下に移動させることもできる。
【００３７】
なお、足場布板５の幅方向でもある階段枠２０の幅方向における位置決め部材３２の配置位置は、図７に示されているように、階段枠２０の幅方向中央の位置となっている。
【００３８】
本実施形態に係る足場布板５は、図７に示されているように、隙間Ｓをあけて足場布板５に幅方向に並設された２個の踏面部材４０を有するものとなっており、これらの踏面部材４０同士は、図２に示されているように、足場布板５の長さ方向両端部に設けられている端部部材４１により連結されており、また、図７に示されているように、足場布板５の裏面にこの足場布板５の長さ方向に間隔をあけて複数個設けられている帯状の連結部材４２でも、踏面部材４０同士は連結されている。
【００３９】
次に、仮設足場に階段枠２０をセットするための作業について説明する。
【００４０】
仮設足場が構築される作業現場に搬入されるときの階段枠２０の位置決め部材３２は、この位置決め部材３２の下端部がベース体２４の下端部と同じ高さ位置に又はベース体２４の下端部よりも高い位置まで引き上げられている（図８を参照）。また、このときには、図５及び図７に示されているように、階段枠２０のベース体２４に設けられている係止部材３０の下端部である係止部３０Ｄは、止着具３１の真下の位置に配置されている。
【００４１】
このような階段枠２０がセットされる仮設足場の下段の足場では、図２に示されているように、２個の足場布板５が既にこれらの足場布板５の幅方向に配置されており、これらの足場布板５は、足場布板５のフック部材１２が掛止されている横架材６に沿ってスライド可能であるため、作業者は足場布板５を少しスライドさせることにより、２個の足場布板５の間に、係止部材３０の係止部３０Ｄを上から挿入可能となる間隔を設ける。次いで、作業者は、この間隔に係止部材３０の係止部３０Ｄを上から挿入しながら、階段枠２０のベース体２４を２個の足場布板５のうちの一方の足場布板５Ａの上に載置するとともに、階段枠２０のフック部材２３を上段の足場の横架材６に掛止する。
【００４２】
この後、作業者は、フック部材２３を横架材６に沿って滑らせることにより、階段枠２０全体を上記足場布板５Ａの側へスライドさせ、これにより、この足場布板５Ａの幅方向の端面の外側から係止部材３０の係止部３０Ｄを足場布板５Ａの下面に係止させる。
【００４３】
なお、以上のように作業を行うのではなく、階段枠２０が仮設足場にセットされるときには、図２で示した下段の足場に２個の足場布板５のうち、一方の足場布板５Ａだけを配置しておき、まだ配置されていない他方の足場布板５を配置すべき箇所に階段枠２０を配置して、フック部材２３を上段の足場の横架材６に掛止し、フック部材２３を横架材６に沿って滑らせることにより、階段枠２０全体を足場布板５Ａの側へスライドさせて、足場布板５Ａの幅方向の端面の外側から係止部材３０の係止部３０Ｄを足場布板５Ａの下面に係止させるようにしてもよい。
【００４４】
以上のように係止部材３０の係止部３０Ｄを足場布板５Ａの下面に係止させたときには、図７に示されているように、位置決め部材３２の位置は、足場布板５Ａにこの足場布板５Ａの長さ方向の長さを有して形成されている前述の隙間Ｓの位置と一致しており、この後に、固定手段３５のボルト及びナットを緩めることにより位置決め部材３２を下降させ、これにより、位置決め部材３２を足場布板５Ａに上から挿入する作業を、位置決め部材３２の下部を隙間Ｓに上から挿入する作業として行う。
【００４５】
この作業によると、係止部材３０が、位置決め部材３２により、足場布板５Ａの幅方向に位置決め状態とされたことになり、このため、係止部材３０の係止部３０Ｄを足場布板５Ａの幅方向の端面の外側からこの足場布板５Ａの下面に係止させても、この係止部材３０が足場布板５Ａの幅方向の端面から外側に脱出することはなくなり、このため、階段枠２０の下端を足場布板５Ａに係止部材３０の係止作用により連結することができる。
【００４６】
また、本実施形態によると、階段枠２０の側桁２１の下端に設けられているベース体２４に、足場布板５Ａの幅方向の端面の外側からこの足場布板５Ａの下面に係止される係止部材３０と、足場布板５Ａに上から挿入され、この足場布板５Ａに対して係止部材３０を足場布板５Ａの幅方向に位置決め状態とするための位置決め部材３２とを設ければよいため、構造の簡単化を図ることができる。
【００４７】
また、階段枠２０の下端を足場布板５Ａに、この足場布板５Ａの幅方向に位置決めして連結するためには、係止部材３０を足場布板５Ａの幅方向の端面の外側からこの足場布板５Ａの下面に係止する作業と、位置決め部材３２を足場布板５Ａに上から挿入することにより、足場布板５Ａに対して係止部材３０を足場布板５Ａの幅方向に位置決め状態とするための作業とを行えばよいため、作業の容易化を図ることができる。
【００４８】
さらに、前述したように位置決め部材３２の下部を隙間Ｓに上から挿入する作業は、固定手段３５のボルトの軸部３５Ａが位置決め部材３２に上下に長く形成された長孔３２Ｂに挿通されているため、固定手段３５のボルト及びナットを緩めるだけにより、位置決め部材３２を自重で下降させて自ずと行うことができ、これらのボルト及びナットの取り付け、取り外し作業を行うことを必要としない。
【００４９】
図８は、仮設足場の構築現場へ搬送されるときや保管されているとき等における階段枠２０を示す。このときには、係止部材３０は、ベース体に設けられていて前述の中心軸となっている止着具３１のボルトの軸部３１Ａを中心に回動可能となっているため、この係止部材３０における足場布板５Ａの下面に係止される下端部となっている係止部３０Ｄがベース体２４の下端部と同じ高さ位置になるまで又はベース体２４の下端部よりも高い位置になるまで、係止部材３０を軸部３１Ａを中心に回動させておき、また、位置決め部材３２は上下方向に高さ位置が調整可能となっているため、位置決め部材３２の下端部がベース体２４の下端部と同じ高さ位置になるまで又はベース体２４の下端部よりも高い位置になるまで、位置決め部材３２を上方へ引き上げておく。
【００５０】
これによると、係止部材３０と位置決め部材３２とを階段枠２０に対して格納された状態にできることになるため、上述の搬送や保管等を大きなスペースをとらずに有効に行える。
【００５１】
また、本実施形態では、図２から分かるように、ベース体２４から上方へ延びる長さを有している位置決め部材３２の配置位置が、階段枠２０に複数設けられている踏板２２のうち、最下段の踏板２２よりも下側の位置であって、この最下段の踏板２２についての足場布板５Ａの長さ方向の寸法内の位置となっているため、言い換えると、位置決め部材３２の上方は最下段の踏板２２によって覆われた状態になっているため、この最下段の踏板２２を踏んで階段枠２０を昇降する作業者にとって位置決め部材３２は気になる存在にはならず、作業者は、最下段の踏板２２を踏むときに、位置決め部材３２に足が当たってしまうのではないかなどという危惧を感じることなく、最下段の踏板２２を安心して踏むことができる。
【００５２】
図９は、ベース体２４のそれぞれの起立部２４Ａを階段枠２０の側桁２１に、１個の結合具５０で結合した実施形態を示している。この実施形態によると、ベース体２４は、ボルト及びナットによる結合具５０のうち、階段枠２０の幅方向を軸方向とするボルトの軸部５０Ａを中心に回動可能となる。このため、階段枠２０が斜めに架設される上下２段の足場の上下高さ寸法が異なっている仮設足場についても、階段枠２０の傾斜角度を変更することにより、この階段枠２０を共通して用いることができるようになる。
【産業上の利用可能性】
【００５３】
本発明は、建築作業現場、土木作業現場、解体作業現場、塗装作業現場等の各種作業現場で構築される仮設足場に作業者昇降のために設けられる階段枠に利用することができる。
【符号の説明】
【００５４】
２  支柱
３  水平材
４  ブレース
５，５Ａ  足場布板
６  横架材
７  フランジ
２０  階段枠
２１  側桁
２２  踏板
２３  フック部材
２４  ベース体
３０  係止部材
３０Ｄ  係止部材の下端部である係止部
３１Ａ  中心軸であるボルトの軸部
３２  位置決め部材
３２Ｂ  長孔
３５  固定手段
３５Ａ  ボルトの軸部
４０  踏面部材
Ｓ  隙間
【図１】
0006423256.tif 000002
【図２】
0006423256.tif 000003
【図３】
0006423256.tif 000004
【図４】
0006423256.tif 000005
【図５】
0006423256.tif 000006
【図６】
0006423256.tif 000007
【図７】
0006423256.tif 000008
【図８】
0006423256.tif 000009
【図９】
0006423256.tif 000010